(57)【要約】【課題】ユーザーの操作負担を低減することができる表示装置、表示方法および表示システムを提供する。【解決手段】表示面に画像を表示する表示部と、前記表示面上の指示体の位置を検出する検出部と、前記検出部の検出位置に基づく画像を前記表示部に表示させる制御部と、を有し、前記制御部は、第１属性の設定が互いに異なり、前記第１属性と異なる第２属性の設定が互いに同じである複数のサンプル画像を含み、第１方向にスクロール可能な第１画像群と、前記第１属性の設定が互いに同じであり、前記第２属性の設定が互いに異なる複数のサンプル画像を含み、前記第１方向と異なる第２方向にスクロール可能な第２画像群と、を前記表示部に表示させ、前記第１画像群または前記第２画像群に含まれるサンプル画像の選択に応じて、前記検出部の検出位置に基づく画像に用いる前記第１属性および前記第２属性の設定を決定する、表示装置。【選択図】図１
2020067909.tif 000002
【特許請求の範囲】
【請求項１】
表示面に画像を表示する表示部と、
前記表示面上の指示体の位置を検出する検出部と、
前記検出部の検出位置に基づく画像を前記表示部に表示させる制御部と、を有し、
前記制御部は、
第１属性の設定が互いに異なり、前記第１属性と異なる第２属性の設定が互いに同じである複数のサンプル画像を含み、第１方向にスクロール可能な第１画像群と、前記第１属性の設定が互いに同じであり、前記第２属性の設定が互いに異なる複数のサンプル画像を含み、前記第１方向と異なる第２方向にスクロール可能な第２画像群と、を前記表示部に表示させ、
前記第１画像群または前記第２画像群に含まれるサンプル画像の選択に応じて、前記検出部の検出位置に基づく画像に用いる前記第１属性および前記第２属性の設定を決定する、
表示装置。
【請求項２】
前記第１画像群および前記第２画像群は、互いに重なる領域に共通のサンプル画像を含む、
請求項１に記載の表示装置。
【請求項３】
前記第１方向は、第１直線に沿う方向であり、
前記第２方向は、前記第１直線に交差する第２直線に沿う方向である、
請求項１または２に記載の表示装置。
【請求項４】
前記制御部は、
前記第１属性および前記第２属性と異なる第３属性の設定が互いに異なり、前記第１属性および前記第２属性のそれぞれの設定が互いに同じである複数のサンプル画像を含み、前記第１方向および前記第２方向と異なる第３方向にスクロール可能な第３画像群を前記表示部に表示させ、
前記第１画像群、前記第２画像群または前記第３画像群に含まれるサンプル画像の選択に応じて、前記検出部の検出位置に基づく画像に用いる前記第１属性、前記第２属性および前記第３属性の設定を決定する、
請求項１ないし３のいずれか１項に記載の表示装置。
【請求項５】
前記制御部は、前記第１画像群と前記第２画像群とが重なる領域の位置を変更可能である、
請求項１ないし４のいずれか１項に記載の表示装置。
【請求項６】
前記第１方向は、第１円周に沿う方向であり、
前記第２方向は、前記第１円周に交差する第２円周に沿う方向である、
請求項１または２に記載の表示装置。
【請求項７】
前記制御部は、前記第１画像群のスクロールに応じて前記第２画像群の前記第１属性の設定を変更するか、または、前記第２画像群のスクロールに応じて前記第１画像群の前記第２属性の設定を変更する、
請求項１ないし６のいずれか１項に記載の表示装置。
【請求項８】
前記制御部は、前記第１属性および前記第２属性のうちの一方または両方の属性を変更可能である、
請求項１ないし７のいずれか１項に記載の表示装置。
【請求項９】
前記第１属性または前記第２属性は、色、太さまたは線種である、
請求項１ないし８のいずれか１項に記載の表示装置。
【請求項１０】
前記第１属性は、色であり、
前記第２属性は、太さである、
請求項９に記載の表示装置。
【請求項１１】
前記第１属性は、形状であり、
前記第２属性は、色、太さまたは線種である、
請求項９に記載の表示装置。
【請求項１２】
前記制御部は、外部装置からの画像情報に基づく画像に重ねて前記第１画像群および前記第２画像群を前記表示部に表示させる、
請求項１ないし１１のいずれか１項に記載の表示装置。
【請求項１３】
前記検出部の検出位置に基づく画像の属性履歴に関する情報を記憶する記憶部を有し、
前記制御部は、前記情報に基づいて、前記第１画像群または前記第２画像群に用いる前記第１属性または前記第２属性の設定を決定する、
請求項１ないし１２のいずれか１項に記載の表示装置。
【請求項１４】
第１属性が互いに異なり、前記第１属性と異なる第２属性が互いに同じである複数のサンプル画像を含み、第１方向にスクロール可能な第１画像群と、前記第１属性が互いに同じであり、前記第２属性が互いに異なる複数のサンプル画像を含み、前記第１方向と異なる第２方向にスクロール可能な第２画像群と、を表示面に表示することと、
前記第１画像群または前記第２画像群に含まれる１のサンプル画像を選択させることと、
前記１のサンプル画像の選択に応じて、前記第１属性および前記第２属性を決定することと、
前記表示面上の指示体の位置を検出することと、
前記検出された位置に基づき、前記決定された前記第１属性および前記第２属性を有する画像を前記表示面に表示することと、
を含む、表示方法。
【請求項１５】
表示面に画像を表示する表示部と、
前記表示面上の指示体の位置を検出する検出部と、
前記検出部の検出位置に基づく画像を前記表示部に表示させる制御部と、を有し、
前記制御部は、
第１属性の設定が互いに異なり、前記第１属性と異なる第２属性の設定が互いに同じである複数のサンプル画像を含み、第１方向にスクロール可能な第１画像群と、前記第１属性の設定が互いに同じであり、前記第２属性の設定が互いに異なる複数のサンプル画像を含み、前記第１方向と異なる第２方向にスクロール可能な第２画像群と、を前記表示部に表示させ、
前記第１画像群または前記第２画像群に含まれるサンプル画像の選択に応じて、前記検出部の検出位置に基づく画像に用いる前記第１属性および前記第２属性の設定を決定する、
表示システム。
【発明の詳細な説明】
【技術分野】
【０００１】
本発明は、表示装置、表示方法および表示システムに関する。
【背景技術】
【０００２】
スクリーン等の表示面に対するペンツールまたは利用者の指等の指示体による操作を受け付けて当該表示面に描画を行う表示装置が知られている。例えば、特許文献１に記載の装置は、ペンによる落書きが可能な落書き入力モードが選択されたとき、ペン入力ストロークに沿って線を描画する描画領域と、ペン入力のための各種設定を行なうための設定領域とを表示する。ここで、設定領域には、描画する線の種類、色および太さ等を指定するための各指定枠が用意される。そして、各指定枠における指定がペンにより行われると、確認画像が描画領域に表示される。
【先行技術文献】
【特許文献】
【０００３】
【特許文献１】特開２０１３−２４６７５０号公報
【発明の概要】
【発明が解決しようとする課題】
【０００４】
しかし、特許文献１に記載の装置では、設定のための指定枠が属性ごとに独立して表示されるため、設定を要する属性の数が多くなるに従い、操作の数が多くなり、利用者の操作負荷が大きくなるという課題がある。
【課題を解決するための手段】
【０００５】
以上の課題を解決するため、本発明に係る表示装置の一態様は、表示面に画像を表示する表示部と、前記表示面上の指示体の位置を検出する検出部と、前記検出部の検出位置に基づく画像を前記表示部に表示させる制御部と、を有し、前記制御部は、第１属性の設定が互いに異なり、前記第１属性と異なる第２属性の設定が互いに同じである複数のサンプル画像を含み、第１方向にスクロール可能な第１画像群と、前記第１属性の設定が互いに同じであり、前記第２属性の設定が互いに異なる複数のサンプル画像を含み、前記第１方向と異なる第２方向にスクロール可能な第２画像群と、を前記表示部に表示させ、前記第１画像群または前記第２画像群に含まれるサンプル画像の選択に応じて、前記検出部の検出位置に基づく画像に用いる前記第１属性および前記第２属性の設定を決定する。
【０００６】
本発明に係る表示方法の一態様は、第１属性が互いに異なり、前記第１属性と異なる第２属性が互いに同じである複数のサンプル画像を含み、第１方向にスクロール可能な第１画像群と、前記第１属性が互いに同じであり、前記第２属性が互いに異なる複数のサンプル画像を含み、前記第１方向と異なる第２方向にスクロール可能な第２画像群と、を表示面に表示することと、前記第１画像群または前記第２画像群に含まれる１のサンプル画像を選択させることと、前記１のサンプル画像の選択に応じて、前記第１属性および前記第２属性を決定することと、前記表示面上の指示体の位置を検出することと、前記検出された位置に基づき、前記決定された前記第１属性および前記第２属性を有する画像を前記表示面に表示することと、を含む。
【０００７】
本発明に係る表示システムの一態様は、表示面に画像を表示する表示部と、前記表示面上の指示体の位置を検出する検出部と、前記検出部の検出位置に基づく画像を前記表示部に表示させる制御部と、を有し、前記制御部は、第１属性の設定が互いに異なり、前記第１属性と異なる第２属性の設定が互いに同じである複数のサンプル画像を含み、第１方向にスクロール可能な第１画像群と、前記第１属性の設定が互いに同じであり、前記第２属性の設定が互いに異なる複数のサンプル画像を含み、前記第１方向と異なる第２方向にスクロール可能な第２画像群と、を前記表示部に表示させ、前記第１画像群または前記第２画像群に含まれるサンプル画像の選択に応じて、前記検出部の検出位置に基づく画像に用いる前記第１属性および前記第２属性の設定を決定する。
【図面の簡単な説明】
【０００８】
【図１】実施形態に係る表示システムを示す斜視図である。
【図２】実施形態に係る表示装置の構成を示すブロック図である。
【図３】描画モード実行時における表示を例示する図である。
【図４】描画に用いる属性を例示する図である。
【図５】２つの属性を用いるサンプル表示を例示する図である。
【図６】第１画像群のスクロール後のサンプル表示を例示する図である。
【図７】第２画像群のスクロール後のサンプル表示を例示する図である。
【図８】第１画像群および第２画像群の交差する領域の移動後のサンプル表示を例示する図である。
【図９】２つの属性を用いる他のサンプル表示を例示する図である。
【図１０】３つの属性を用いるサンプル表示を例示する図である。
【図１１】４つの属性を用いるサンプル表示を例示する図である。
【図１２】属性変更用のマークを含むサンプル表示を例示する図である。
【図１３】属性変更後のサンプル表示を例示する図である。
【図１４】表示内での属性入替用のマークを含むサンプル表示を例示する図である。
【図１５】表示内での属性入替後のサンプル表示を例示する図である。
【図１６】表示装置の描画モード実行時の動作の一例を示すフローチャートである。
【図１７】サンプル表示における画像群の追加および変更の一例を示すフローチャートである。
【図１８】変形例に係る第１画像群および第２画像群を含むサンプル表示を例示する図である。
【発明を実施するための形態】
【０００９】
以下、添付図面を参照しながら本発明に係る好適な実施形態を説明する。なお、図面において各部の寸法および縮尺は実際と適宜異なり、理解を容易にするために模式的に示す部分もある。また、本発明の範囲は、以下の説明において特に本発明を限定する旨の記載がない限り、これらの形態に限られない。
【００１０】
１．表示システムの概要
図１は、実施形態に係る表示システム１を示す斜視図である。表示システム１は、いわゆるインタラクティブ機能を有するプロジェクションシステムである。図１に示すように、表示システム１は、表示装置１０と、指示体９０と、外部装置の一例であるＰＣ１００と、を含む。
【００１１】
図１に示す例では、表示装置１０は、ケーブル１０１および１０２を介してＰＣ１００に接続される。表示装置１０には、ＰＣ１００からケーブル１０１を介して画像情報ＤＳが入力される。なお、表示装置１０は、ＰＣ１００からケーブル１０２を介して画像情報ＤＳが入力されてもよい。表示装置１０に画像情報ＤＳを供給する外部装置は、ＰＣ１００に限定されず、例えば、ＤＶＤ（Digital Versatile Disk）プレイヤー等であってもよい。当該外部装置は、無線により表示装置１０と接続されてもよく、この場合、ケーブル１０１および１０２のうちの一方または両方を省略してもよい。
【００１２】
表示装置１０は、ＰＣ１００からの画像情報ＤＳに基づく画像ＧをスクリーンＳＣに表示可能である。画像Ｇは、例えば、ＰＣ１００の画面に表示される画像等である。なお、図１に示す例では、スクリーンＳＣの設置箇所は、例えば、壁であるが、これに限定されず、例えば、床またはテーブル等であってもよい。また、表示装置１０の設置箇所は、例えば、天井であるが、これに限定されず、天井に限定されず、壁、床、テーブル、専用設置台等であってもよい。
【００１３】
表示装置１０は、指示体９０が指示するスクリーンＳＣ上の位置の軌跡に基づく描画画像である画像ＧＤをスクリーンＳＣに表示する描画モードを実行可能である。ここで、表示装置１０は、指示体９０が指示するスクリーンＳＣ上の位置を検出し、当該位置に基づいて画像ＧＤを表示する。画像ＧＤは、前述の画像情報ＤＳに基づく画像Ｇを表示せずに単独で表示してもよいし、画像Ｇに重ねて表示してもよい。なお、表示装置１０は、前述の画像ＧをスクリーンＳＣに表示し、その状態で、指示体９０が指示するスクリーンＳＣ上の位置に従い、マウス等のポインティングデバイスと同様にＰＣ１００を操作してもよい。
【００１４】
指示体９０は、ペン型のデバイスである。指示体９０は、軸部９１と、軸部９１の先端に配置される先端ボタン９２と、を備える。先端ボタン９２は、スクリーンＳＣに押し付けられることでオンになるスイッチである。指示体９０の内部には、図示しない赤外線発光部が設けられており、当該赤外線発光部は、先端ボタン９２がオンとなることにより駆動する。当該赤外線発光部は、例えば、赤外ＬＥＤ（Light Emitting Diode）等の発光素子、発光制御回路、および電源を含んで構成される。当該赤外線発光部は、例えば、ＩｒＤＡ（Infrared Data Association）規格に準拠した方式により、周期的に赤外線を発光する。この発光は、表示装置１０で検出される。表示装置１０、指示体９０の発光位置に基づいて、指示体９０が指示するスクリーンＳＣ上の位置を検出する。なお、指示体９０の形状は、ペン型に限定されない。また、指示体９０は、人間の指等であってもよい。
【００１５】
表示装置１０は、描画モード時に、指示体９０の指示により表示装置１０に各種の機能を実行させるためのＧＵＩ（Graphical User Interface）用の画像であるツールバーＧＴをスクリーンＳＣに表示する。図１に例示されるツールバーＧＴは、取消ボタンＵＤＢと、ポインターボタンＰＴＢと、ペンボタンＰＥＢと、消しゴムボタンＥＲＢと、色選択ボタンＣＣＢと、を含む。取消ボタンＵＤＢは、１つ前の操作を取り消して元に戻すボタンである。ポインターボタンＰＴＢは、画像等の選択に用いるマウスポインターを表示させるためのボタンである。ペンボタンＰＥＢは、画像ＧＤの描画に用いるペンの種類を選択するためのボタンである。消しゴムボタンＥＲＢは、描画済みの画像ＧＤを消去する消しゴムツールを選択するためのボタンである。色選択ボタンＣＣＢは、画像ＧＤの描画に用いるペンの色を選択するためのボタンである。
【００１６】
なお、以下では、図１に示す形態のツールバーＧＴを用いる場合を例に説明するが、ツールバーＧＴの形態は、図１に示す形態に限定されない。また、表示装置１０は、前述の画像Ｇ、ＧＤおよびツールバーＧＴ以外の画像、例えば、表示装置１０に記憶される画像情報に基づく画像、または表示装置１０で生成する画像情報に基づく画像等をスクリーンＳＣに表示してもよい。また、表示装置１０の操作は、表示装置１０本体に配置される操作パネル７１、および図１中不図示のリモコンを用いて行うことも可能である。
【００１７】
表示装置１０は、例えば、前述のツールバーＧＴに対して所定の操作が行われると、画像ＧＤの属性の設定に用いるサンプル画像群ＧＳＧをスクリーンＳＣに表示する。図１に例示されるサンプル画像群ＧＳＧは、スクリーンＳＣの横方向に並ぶ複数のサンプル画像ＧＳ１を含む第１画像群ＧＳＧ１と、スクリーンＳＣの縦方向に並ぶ複数のサンプル画像ＧＳ２を含む第２画像群ＧＳＧ２と、を含む。ここで、複数のサンプル画像ＧＳ１は、第１属性の設定が互いに異なり、第１属性と異なる第２属性の設定が互いに同じである。複数のサンプル画像ＧＳ２は、第１属性の設定が互いに同じであり、第２属性の設定が互いに異なる。このように複数のサンプル画像ＧＳ１および複数のサンプル画像ＧＳ２の属性またはその設定が互いに異なる。このため、ユーザーが実際に属性の設定を変更して画像ＧＤを表示しなくても、画像ＧＤの属性の異なる複数の表示態様の見本をサンプル画像群ＧＳＧによりユーザーに提示できる。
【００１８】
ここで、「属性」とは、人間の視覚により識別可能な性質または特徴を意味し、具体例としては、例えば、色、模様、文字、図形、記号等が挙げられる。また、「属性」は、共通する性質または特徴の分類に属する複数の種類を含む概念である。例えば、属性は、色である場合、赤、青、緑および黄色等の種類を含む概念である。「属性が異なる」とは、対比される２つの属性の分類が互いに異なることをいう。「属性の設定が異なる」とは、属性が異なること、または、同一属性において対比される２つの種類が互いに異なることをいう。
【００１９】
各サンプル画像ＧＳ１および各サンプル画像ＧＳ２は、それぞれ、指示体９０による操作を受け付け可能である。ユーザーが複数のサンプル画像ＧＳ１および複数のサンプル画像ＧＳ２から１のサンプル画像ＧＳ１またはサンプル画像ＧＳ２を選択して操作することにより、当該１のサンプル画像ＧＳ１またはサンプル画像ＧＳ２の属性の設定が画像ＧＤの属性の設定に反映される。ここで、当該１のサンプル画像ＧＳ１またはサンプル画像ＧＳ２の属性は、互いに異なる第１属性および第２属性を含む。このため、１回の当該操作により、画像ＧＤの２つの属性を設定できる。
【００２０】
第１画像群ＧＳＧ１および第２画像群ＧＳＧ２は、互いに部分的に重なる領域Ｒを有する。当該領域Ｒでは、サンプル画像ＧＳ１およびＧＳ２の一方が他方に共用される。すなわち、領域Ｒにおけるサンプル画像ＧＳ１およびＧＳ２は、共通する。ここで、第１画像群ＧＳＧ１および第２画像群ＧＳＧ２は、それぞれ、スクロール可能である。第１画像群ＧＳＧ１がスクロールされると、領域Ｒにあるサンプル画像ＧＳ１またはＧＳ２の第１属性の設定が複数のサンプル画像ＧＳ２の属性の設定に反映される。同様に、第２画像群ＧＳＧ２がスクロールされると、領域Ｒにあるサンプル画像ＧＳ１またはＧＳ２の第２属性の設定が複数のサンプル画像ＧＳ１の属性の設定に反映される。
【００２１】
２．表示装置の構成
図２は、実施形態に係る表示装置１０の構成を示すブロック図である。表示装置１０は、図２に示すように、表示部２０、記憶部３０、画像処理部４０、Ｉ／Ｆ（Interface）部５０、検出部６０、操作部７０および制御部８０を有する。
【００２２】
表示部２０は、表示面であるスクリーンＳＣに画像Ｇを表示する。表示部２０は、光源２１、光変調装置２２、および投射光学系２３を有する。
【００２３】
光源２１は、例えば、ハロゲンランプ、キセノンランプ、超高圧水銀ランプ、ＬＥＤ（Light Emitting Diode）またはレーザー光源等を含んで構成される。光源２１は、例えば、赤色、緑色および青色の光をそれぞれ出射するか、または、白色の光を出射する。光源２１が白色の光を出射する場合、光源２１から出射される光は、図示しないインテグレーター光学系によって輝度分布のばらつきが低減され、その後、図示しない色分離光学系によって赤色、緑色および青色の光に分離されて光変調装置２２に入射する。光変調装置２２は、当該赤色、緑色および青色に対応して設けられる光変調素子２２Ｒ、２２Ｇおよび２２Ｂを含んで構成される。光変調素子２２Ｒ、２２Ｇおよび２２Ｂは、それぞれ、例えば、透過型の液晶パネル、反射型の液晶パネルまたはＤＭＤ（デジタルミラーデバイス）等を含んで構成される。光変調素子２２Ｒ、２２Ｇおよび２２Ｂは、当該赤色、緑色および青色の光をそれぞれ変調して各色の画像光を生成する。光変調装置２２で生成される各色の画像光は、図示しない色合成光学系によって合成され、フルカラーの画像光となる。投射光学系２３は、当該フルカラーの画像光をスクリーンＳＣ上に結像させて投射させる。投射光学系２３は、少なくとも１つの投射レンズを含む光学系であり、ズームレンズまたはフォーカスレンズ等を含んでもよい。
【００２４】
記憶部３０は、例えば、ハードディスクドライブまたは半導体メモリーから構成される。記憶部３０は、制御部８０が実行する制御プログラムＰ、および制御部８０が処理する属性履歴情報Ｄを含むデータを記憶する。なお、制御プログラムＰおよび属性履歴情報Ｄについては、後に詳述する。また、記憶部３０は、表示装置１０の外部の記憶装置あるいはサーバー等に設けてもよい。
【００２５】
画像処理部４０は、フレームメモリー４１を有し、Ｉ／Ｆ部５０からの画像情報ＤＳをフレームメモリー４１に展開して、解像度変換処理、リサイズ処理、歪み補正処理等の各種処理を適宜実行して表示部２０に入力する。ここで、画像処理部４０は、必要に応じて、制御部８０からの信号に基づく処理、例えば、画像ＧＤおよびツールバーＧＴ等を表示部２０に表示させるための処理等を実行する。
【００２６】
Ｉ／Ｆ部５０は、ＰＣ１００等の外部装置に接続可能なインターフェイスとして、入力部５１および通信部５２を備える。なお、Ｉ／Ｆ部５０は、表示装置１０本体と同一筐体に配置されてもよいし、表示装置１０本体の筐体とは別の筐体内に配置されてもよい。
【００２７】
入力部５１は、ＰＣ１００から画像情報ＤＳを入力可能である。具体的には、入力部５１は、例えば、Ｄ−ｓｕｂまたはＨＤＭＩインターフェイス等である。なお、入力部５１の数は、複数でもよく、この場合、規格は、同一であっても異なっていてもよい。入力部５１は、例えば、Ｗｉ−ＦｉまたはＢｌｕｅｔｏｏｔｈ等により外部装置に無線接続されてもよいし、ＬＡＮ（Local Area Network）またはインターネット等を介して外部装置に接続されてもよい。なお、ＨＤＭＩ、Ｗｉ−ＦｉおよびＢｌｕｅｔｏｏｔｈは、それぞれ、登録商標である。
【００２８】
通信部５２は、ＰＣ１００に通信可能に接続可能である。具体的には、通信部５２は、例えば、ＵＳＢ等のインターフェイスである。なお、通信部５２の数は、複数でもよく、この場合、規格は、互いに同一であっても異なっていてもよい。
【００２９】
検出部６０は、指示体９０が指示するスクリーンＳＣ上の位置を検出し、当該位置を示す位置情報ＰＳを生成する。検出部６０は、撮像部６１および位置情報生成部６２を有する。撮像部６１は、スクリーンＳＣを撮像する。撮像部６１は、例えば、ＣＣＤ（Charge Coupled Device）イメージセンサーまたはＣＭＯＳ（Complementary MOS）イメージセンサー等の撮像素子を含んで構成される。位置情報生成部６２は、指示体９０が指示するスクリーンＳＣ上の位置に関する位置情報ＰＳを生成する。具体的には、位置情報生成部６２は、撮像部６１の出力信号に基づいて、位置情報ＰＳを生成する。スクリーンＳＣ上の指示体９０の位置は、例えば、スクリーンＳＣ上に設定される座標系の座標で表され、位置情報ＰＳは、当該座標を示す情報を含む。なお、検出部６０は、指示体９０が指示するスクリーンＳＣ上の位置を検出することができればよく、前述のような撮像素子を用いる構成に限定されず、例えば、レーザー光源および受光素子を用いる構成でもよい。
【００３０】
操作部７０は、操作パネル７１およびリモコン受光部７２を有する。操作パネル７１は、表示装置１０の外装筐体に設けられ、ユーザーの操作を受け付け可能に構成される。操作パネル７１は、ユーザーの操作に基づく信号を出力する。リモコン受光部７２は、図示しないリモコンからの赤外線信号を受光し、当該赤外線信号をデコードして、当該リモコンの操作に基づく信号を出力する。
【００３１】
制御部８０は、表示装置１０の各部を制御する機能、および各種データを処理する機能を有する。制御部８０は、例えば、ＣＰＵ（Central Processing Unit）等を含んで構成される。制御部８０は、記憶部３０に記憶される制御プログラムＰを実行することによって、後述する機能部を含む各種機能を実現する。なお、制御部８０は、単一のプロセッサーで構成されてもよいし、複数のプロセッサーで構成されてもよい。また、制御部８０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００３２】
制御部８０は、機能部として、表示制御部８１と描画設定部８２とを有する。表示制御部８１は、表示部２０による表示に関する処理を実行する。より具体的には、例えば、表示制御部８１は、検出部６０の検出結果である位置情報ＰＳに基づく画像ＧＤを表示部２０に表示させたり、ＰＣ１００からの画像情報ＤＳに基づく画像Ｇを表示部２０に表示させたりする機能を有する。また、表示制御部８１は、画像ＧＤの属性の異なる複数の表示態様の見本としてサンプル画像群ＧＳＧを表示するサンプル機能を有する。ここで、表示制御部８１は、当該サンプル機能を使用するか否かの設定が可能である。描画設定部８２は、画像ＧＤの属性の設定に関する処理を実行する。より具体的には、例えば、描画設定部８２は、ツールバーＧＴまたはサンプル画像群ＧＳＧに対する操作に応じて、画像ＧＤに用いる属性の設定を決定したり、その設定の使用結果に関する情報を属性履歴情報Ｄとして記憶部３０に記憶させたりする。属性履歴情報Ｄは、画像ＧＤの属性履歴に関する情報であればよく、いかなる形式でもよい。
【００３３】
図３は、描画モード実行時における表示を例示する図である。描画モード実行時では、図３に示すように、指示体９０が指示するスクリーンＳＣ上の位置の軌跡に基づく描画画像である画像ＧＤが表示される。このとき、前述のように、ツールバーＧＴがスクリーンＳＣに表示される。
【００３４】
図４は、描画に用いる属性を例示する図である。表示装置１０は、画像ＧＤの属性として、図４に例示される属性ａ、ｂ、ｃおよびｄを設定可能である。属性ａ、ｂ、ｃおよびｄは、それぞれ、互いに異なる種類（１）から（５）を含む。
【００３５】
具体的には、属性ａは、色であり、互いに異なる色を種類（１）から（５）として含む。「色が異なる」とは、対比される２つの色において色相、彩度、明度のうちの１つまたは複数が互いに異なることをいう。図４では、図示の便宜上、色である属性ａの種類（１）から（５）を互いに濃淡の異なるグレースケールで示す。属性ｂは、太さであり、互いに異なる太さを種類（１）から（５）として含む。図４に示す属性ｂの例では、種類（１）から（５）の順に太さが太くなる。属性ｃは、線種であり、互いに異なる線種を種類（１）から（５）として含む。図４に示す属性ｃの例では、種類（１）は実線であり、種類（２）は点線であり、種類（３）は鎖線であり、種類（４）は一点鎖線であり、種類（５）は二点鎖線である。属性ｄは、図形であり、互いに異なる図形を種類（１）から（５）として含む。図４に示す属性ｄの例では、種類（１）は三角形であり、種類（２）は四角形であり、種類（３）は円形であり、種類（４）は台形であり、種類（５）は斜め十字形である。
【００３６】
なお、図４に示す属性およびその種類は、一例であり、画像ＧＤまたはサンプル画像群ＧＳＧに用いる属性およびその種類は、図４に示す例に限定されない。
【００３７】
（サンプル表示例１）
図５は、２つの属性ａおよびｂを用いるサンプル表示を例示する図である。描画モード実行時では、ツールバーＧＴに対して所定の操作が行われると、例えば、図５に示すように、サンプル画像群ＧＳＧが表示される。なお、図５に図示されるように、以下の説明では、スクリーンＳＣの左右方向または横方向をＸ方向と表記し、上下方向または縦方向をＹ方向と表記する。図中右側がＸ方向の正側であり、左側がＸ方向の負側である。また、これらの図中上側がＹ方向の正側であり、下側がＹ方向の負側である。
【００３８】
サンプル画像群ＧＳＧは、複数のサンプル画像ＧＳ１を含む第１画像群ＧＳＧ１と、複数のサンプル画像ＧＳ２を含む第２画像群ＧＳＧ２と、を含む。図５に例示される複数のサンプル画像ＧＳ１は、Ｘ方向に平行な直線Ｌ１上に並んで配置される。これに対し、図５に例示される複数のサンプル画像ＧＳ２は、Ｙ方向に平行な直線Ｌ２上に並んで配置される。ここで、直線Ｌ１およびＬ２が交差する。このため、第１画像群ＧＳＧ１および第２画像群ＧＳＧ２は、互いに領域Ｒにて部分的に重なる。領域Ｒでは、サンプル画像ＧＳ１およびＧＳ２が共通する。すなわち、領域Ｒにあるサンプル画像ＧＳ１は、領域Ｒにあるサンプル画像ＧＳ２である。なお、第１画像群ＧＳＧ１を構成するサンプル画像ＧＳ１の数、および第２画像群ＧＳＧ２を構成するサンプル画像ＧＳ２の数は、それぞれ、図５に示す数に限定されず、２以上の任意の数であればよい。
【００３９】
図５では、各サンプル画像ＧＳ１および各サンプル画像ＧＳ２のそれぞれが直線状の線画であり、当該線画の属性として前述の属性ａおよびｂを用いる場合が例示される。ここで、属性ｂは、第１属性の一例である。属性ａは、第１属性と異なる第２属性の一例である。各サンプル画像ＧＳ１および各サンプル画像ＧＳ２のそれぞれは、指示体９０による指示等によりユーザーからの操作を受け付け可能である。当該操作がなされると、当該操作により選択されるサンプル画像ＧＳ１またはサンプル画像ＧＳ２の属性が画像ＧＤの属性として設定される。
【００４０】
複数のサンプル画像ＧＳ１は、属性ｂの設定が互いに異なり、属性ａの設定が互いに同じである。図５に例示される複数のサンプル画像ＧＳ１には、前述の属性ｂの複数の種類が割り当てられる。この割り当ては、予め設定されてもよいし、属性履歴情報Ｄに基づいて設定されてもよい。また、図５に例示される複数のサンプル画像ＧＳ１のそれぞれには、領域Ｒにあるサンプル画像ＧＳ２の属性ａの種類が割り当てられる。一方、複数のサンプル画像ＧＳ２は、属性ｂの設定が互いに同じであり、属性ａの設定が互いに異なる。図５に例示される複数のサンプル画像ＧＳ２には、前述の属性ａの複数の種類が割り当てられる。この割り当ては、予め設定されてもよいし、属性履歴情報Ｄに基づいて設定されてもよい。また、図５に例示される複数のサンプル画像ＧＳ２のそれぞれには、領域Ｒにあるサンプル画像ＧＳ１の属性ｂの種類が割り当てられる。
【００４１】
第１画像群ＧＳＧ１は、第１方向の一例である方向αにスクロール可能である。第２画像群ＧＳＧ２は、第１方向と異なる第２方向の一例である方向βにスクロール可能である。これらのスクロールの操作は、指示体９０によるタッチ操作またはジェスチャーによる操作等の操作により実行可能である。
【００４２】
図６は、第１画像群ＧＳＧ１のスクロール後のサンプル表示を例示する図である。図６に例示されるように、第１画像群ＧＳＧ１を方向α１にスクロールさせると、領域Ｒにあるサンプル画像ＧＳ１の属性ｂの種類が複数のサンプル画像ＧＳ２のそれぞれの属性ｂの種類に反映される。図６では、領域Ｒにあるサンプル画像ＧＳ１の太さが図５に示す状態よりも太くなるのに伴って、各サンプル画像ＧＳ２の太さが太くなる結果が例示される。
【００４３】
図７は、第２画像群ＧＳＧ２のスクロール後のサンプル表示を例示する図である。図７に例示されるように、第２画像群ＧＳＧ２を方向β１にスクロールさせると、領域Ｒにあるサンプル画像ＧＳ２の属性ａの種類が複数のサンプル画像ＧＳ１のそれぞれの属性ａの種類に反映される。図７では、領域Ｒにあるサンプル画像ＧＳ２の色が図５に示す状態から変化するのに伴って、各サンプル画像ＧＳ１の色が変化する結果が例示される。
【００４４】
領域Ｒの位置は、方向αまたはβでの異なる位置に変更可能である。したがって、領域Ｒの位置の変更によっても、前述のスクロールと同様に、領域Ｒにあるサンプル画像ＧＳ１またはＧＳ２の属性ａまたはｂの種類を変化させることができる。また、ユーザーが操作しやすいように領域Ｒの位置を変更することもできる。領域Ｒの位置の変更は、例えば、指示体９０による操作により実行してもよいし、スクリーンＳＣとユーザーとの位置関係を検出する図示しない赤外線センサー等のセンサーの検出結果に基づいて実行してもよい。ここで、指示体９０による操作により領域Ｒの位置を変更する場合、例えば、領域Ｒの位置の変更に関するジェスチャーを指示体９０による操作に割り当てておけば、当該ジェスチャーに伴って領域Ｒの位置が変更される。また、領域Ｒの位置の変更は、所定時間ごとの位置情報ＰＳに基づいて実行してもよい。
【００４５】
図８は、第１画像群ＧＳＧ１および第２画像群ＧＳＧ２の交差する領域Ｒの移動後のサンプル表示を例示する図である。図８に例示されるように、領域Ｒを方向αに移動させると、領域Ｒにあるサンプル画像ＧＳ１の属性ｂの種類が複数のサンプル画像ＧＳ２のそれぞれの属性ｂの種類に反映される。図８では、領域ＲがＸ方向の負側に移動される場合が例示される。ここで、図６に例示される場合と同様、領域Ｒにあるサンプル画像ＧＳ１の太さが図５に示す状態よりも太くなるのに伴って、各サンプル画像ＧＳ２の太さが太くなる結果が例示される。このような領域Ｒの位置の変更をユーザーの使用状態に応じて行えば、第１画像群ＧＳＧ１または第２画像群ＧＳＧ２に対する操作性を高めることができる。
【００４６】
以上のサンプル画像群ＧＳＧは、前述の画像情報ＤＳに基づく画像Ｇを表示せずに単独で表示してもよいし、画像Ｇに重ねて表示してもよい。ただし、画像ＧＤを画像Ｇに重ねて表示する場合、サンプル画像群ＧＳＧも画像Ｇに重ねて表示することが好ましい。この場合、画像Ｇに重ねて表示する場合の画像ＧＤの見易さ等をサンプル画像群ＧＳＧによりユーザーに提示することができる。
【００４７】
また、図示しないが、サンプル画像群ＧＳＧは、画像Ｇとは異なる背景画像に重ねて表示してもよい。この場合、ユーザーにとって、サンプル画像群ＧＳＧの属性が見易くなるため、サンプル画像群ＧＳＧの設定等の確認または変更する際の判断がし易くなる。例えば、画像Ｇに重ねて表示されるサンプル画像群ＧＳＧが見づらい場合、当該背景画像を用いることは有用である。当該背景画像は、特に限定されないが、サンプル画像群ＧＳＧの見易さに影響をできるだけ与え難い画像であることが好ましく、具体的には、例えば、白色等の均一な画像であることが好ましい。また、当該背景画像は、例えば、ユーザーからの操作等により表示と非表示とを切り替えたり、表示期間をサンプル画像群ＧＳＧの表示開始直後のみに設定したりして適時表示すればよい。
【００４８】
（サンプル表示例２）
図９は、２つの属性ａおよびｄを用いる他のサンプル表示を例示する図である。前述の図５では、第１属性が属性ｂであり、第２属性が属性ａである場合が例示されるが、第１属性および第２属性は、互いに異なればよく、図５に例示される属性に限定されない。例えば、第１属性および第２属性が互いに異なれば、第１属性が属性ａ、ｃまたはｄでもよいし、第２属性が属性ｂ、ｃまたはｄでもよい。図９では、第１属性が図４に示す属性ｄであり、第２属性が図４に示す属性ａである場合が例示される。サンプル画像群ＧＳＧにおいて第１属性および第２属性に用いる属性およびその種類は、予め設定されてもよいし、属性履歴情報Ｄに基づいて設定されてもよい。また、ユーザーからの操作により、サンプル画像群ＧＳＧにおいて第１属性および第２属性に用いる属性およびその種類を設定してもよい。
【００４９】
（サンプル表示例３）
図１０は、３つの属性ｂ、ｃおよびｄを用いるサンプル表示を例示する図である。前述の図５では、２つの属性ａおよびｂを用いてサンプル画像群ＧＳＧを表示する場合が例示されるが、サンプル画像群ＧＳＧに用いる属性の数は、３以上であってもよい。図１０に例示されるサンプル画像群ＧＳＧは、第１画像群ＧＳＧ１および第２画像群ＧＳＧ２のほかに、複数のサンプル画像ＧＳ３を含む第３画像群ＧＳＧ３を含む。以下、図１０に例示されるサンプル画像群ＧＳＧについて、前述の図５に例示されるサンプル画像群ＧＳＧとの相違点を中心に説明する。
【００５０】
図１０では、複数のサンプル画像ＧＳ２に沿う直線Ｌ２がＸ方向およびＹ方向に対して傾斜する。また、図１０に例示される複数のサンプル画像ＧＳ３は、Ｘ方向およびＹ方向に対して直線Ｌ２とは反対側に傾斜する直線Ｌ３上に並んで配置される。ここで、直線Ｌ３は、直線Ｌ１およびＬ２の交点で交差する。このため、第１画像群ＧＳＧ１、第２画像群ＧＳＧ２および第３画像群ＧＳＧ３は、互いに領域Ｒにて部分的に重なる。
【００５１】
図１０では、各サンプル画像ＧＳ１、各サンプル画像ＧＳ２および各サンプル画像ＧＳ３のそれぞれの属性として前述の属性ｂ、ｃおよびｄを用いる場合が例示される。ここで、属性ｄは、第１属性の一例である。属性ｃは、第１属性と異なる第２属性の一例である。属性ｂは、第１属性および第２属性と異なる第３属性の一例である。各サンプル画像ＧＳ３は、各サンプル画像ＧＳ１および各サンプル画像ＧＳ２と同様、指示体９０による指示等によりユーザーからの操作を受け付け可能である。当該操作がなされると、当該操作により選択されるサンプル画像ＧＳ１、サンプル画像ＧＳ２またはサンプル画像ＧＳ３の属性が画像ＧＤの属性として設定される。
【００５２】
図１０に例示される複数のサンプル画像ＧＳ１は、属性ｄの設定が互いに異なり、属性ｂおよびｃの設定が互いに同じである。図１０に例示される複数のサンプル画像ＧＳ２は、属性ｂおよびｄの設定が互いに同じであり、属性ｃの設定が互いに異なる。図１０に例示される複数のサンプル画像ＧＳ３は、属性ｃおよびｄの設定が互いに同じであり、属性ｂの設定が互いに異なる。
【００５３】
図１０では、第２画像群ＧＳＧ２のスクロール可能な方向βがＸ方向およびＹ方向に対して傾斜する。第３画像群ＧＳＧ３は、Ｘ方向およびＹ方向に対して方向βとは反対側に傾斜する方向γにスクロール可能である。方向γは、第１方向および第２方向と異なる第３方向の一例である。第３画像群ＧＳＧ３に対するスクロールの操作は、前述の第１画像群ＧＳＧ１および第２画像群ＧＳＧ２と同様、指示体９０によるタッチ操作またはジェスチャーによる操作等の操作により実行可能である。以上の図１０に例示されるサンプル画像群ＧＳＧによれば、画像ＧＤの３つの属性の異なる複数の表示態様の見本をサンプル画像群ＧＳＧによりユーザーに提示できる。また、サンプル画像群ＧＳＧに対する１回の操作により、画像ＧＤの３つの属性を設定できる。
【００５４】
（サンプル表示例４）
図１１は、４つの属性ａ、ｂ、ｃおよびｄを用いるサンプル表示を例示する図である。図１１に例示されるサンプル画像群ＧＳＧは、前述の図１０に例示される第１画像群ＧＳＧ１、第２画像群ＧＳＧ２および第３画像群ＧＳＧ３のほかに、複数のサンプル画像ＧＳ４を含む第４画像群ＧＳＧ４を含む。以下、図１１に例示されるサンプル画像群ＧＳＧについて、前述の図１０に例示されるサンプル画像群ＧＳＧとの相違点を中心に説明する。
【００５５】
図１１に例示される複数のサンプル画像ＧＳ４は、Ｙ方向に平行な直線Ｌ４上に並んで配置される。ここで、直線Ｌ４は、直線Ｌ１、Ｌ２およびＬ３の交点で交差する。このため、第１画像群ＧＳＧ１、第２画像群ＧＳＧ２、第３画像群ＧＳＧ３および第４画像群ＧＳＧ４は、互いに領域Ｒにて部分的に重なる。
【００５６】
図１１では、各サンプル画像ＧＳ１、各サンプル画像ＧＳ２、各サンプル画像ＧＳ３および各サンプル画像ＧＳ４のそれぞれの属性として前述の属性ａ、ｂ、ｃおよびｄを用いる場合が例示される。ここで、属性ａは、第１属性、第２属性および第３属性と異なる第４属性の一例である。各サンプル画像ＧＳ４は、各サンプル画像ＧＳ１、各サンプル画像ＧＳ２および各サンプル画像ＧＳ４と同様、指示体９０による指示等によりユーザーからの操作を受け付け可能である。当該操作がなされると、当該操作により選択されるサンプル画像ＧＳ１、サンプル画像ＧＳ２、サンプル画像ＧＳ３またはサンプル画像ＧＳ４の属性が画像ＧＤの属性として設定される。
【００５７】
図１１に例示される複数のサンプル画像ＧＳ４は、属性ａの設定が互いに異なり、属性ｂ、ｃおよびｄの設定が互いに同じである。第４画像群ＧＳＧ４は、Ｙ方向に平行な方向δにスクロール可能である。方向δは、第１方向、第２方向および第３方向と異なる第４方向の一例である。第４画像群ＧＳＧ４に対するスクロールの操作は、前述の第１画像群ＧＳＧ１等と同様、指示体９０によるタッチ操作またはジェスチャーによる操作等の操作により実行可能である。以上の図１１に例示されるサンプル画像群ＧＳＧによれば、画像ＧＤの４つの属性の異なる複数の表示態様の見本をサンプル画像群ＧＳＧによりユーザーに提示できる。また、サンプル画像群ＧＳＧに対する１回の操作により、画像ＧＤの４つの属性を設定できる。
【００５８】
以上の図５、図９、図１０および図１１に例示されるサンプル表示の態様は、何れかの態様に予め設定されてもよいし、ユーザーからの操作により１の態様から他の態様に切り替えたり変更したりしてもよい。本実施形態の表示装置１０は、サンプル画像群ＧＳＧに用いる属性およびその種類を変更したり、サンプル画像群ＧＳＧ内での画像群の位置関係を入れ替えたりすることが可能である。
【００５９】
図１２は、属性変更用のマークＭ１を含むサンプル表示を例示する図である。なお、図１２は、前述の図１１に示すサンプル表示にマークＭ１を適用する場合が例示される。本実施形態の表示装置１０は、所定の操作を受け付けるか、または、所定条件を満たすと、図１２に示すように、サンプル画像群ＧＳＧの属性変更に関する複数のマークＭ１および複数のマークＭ２をサンプル画像群ＧＳＧに重ねて表示する。複数のマークＭ１は、第１画像群ＧＳＧ１、第２画像群ＧＳＧ２、第３画像群ＧＳＧ３および第４画像群ＧＳＧ４のそれぞれに対応して配置される。同様に、複数のマークＭ２は、第１画像群ＧＳＧ１、第２画像群ＧＳＧ２、第３画像群ＧＳＧ３および第４画像群ＧＳＧ４のそれぞれに対応して配置される。各マークＭ１は、対応する第１画像群ＧＳＧ１、第２画像群ＧＳＧ２、第３画像群ＧＳＧ３または第４画像群ＧＳＧ４の属性を変更する操作を受け付け可能である。各マークＭ２は、サンプル画像群ＧＳＧの属性変更を行わずにマークＭ１およびＭ２を非表示とする操作を受け付け可能である。なお、マークＭ１およびＭ２の配置は、図１２に示す配置に限定されない。また、マークＭ２の数は、図１２に示す数に限定されず、１以上であればよい。
【００６０】
図１３は、属性変更後のサンプル表示を例示する図である。例えば、図１３に示すように、第１画像群ＧＳＧ１に対応するマークＭ１が操作されると、第１画像群ＧＳＧ１の属性が変更される。図１３では、第１画像群ＧＳＧ１の属性を属性履歴情報Ｄに基づく属性に変更する場合が例示される。
【００６１】
図１４は、表示内での属性替用のマークＭ３を含むサンプル表示を例示する図である。なお、図１４は、前述の図１１に示すサンプル表示にマークＭ３を適用する場合が例示される。本実施形態の表示装置１０は、所定の操作を受け付けるか、または、所定条件を満たすと、図１４に示すように、サンプル画像群ＧＳＧの属性配置の入替に関するマークＭ３をサンプル画像群ＧＳＧに重ねて表示する。マークＭ３は、第１画像群ＧＳＧ１、第２画像群ＧＳＧ２、第３画像群ＧＳＧ３および第４画像群ＧＳＧ４のいずれかに重ねて配置可能である。マークＭ３は、領域Ｒを中心として回転操作可能であり、第１画像群ＧＳＧ１、第２画像群ＧＳＧ２、第３画像群ＧＳＧ３および第４画像群ＧＳＧ４のうちの１の画像群を選択しながら他の画像群の位置へ回転操作することにより、これらの画像群の属性の入替が可能である。なお、マークＭ３の形状および大きさ等は、図１４に示す形状および大きさ等に限定されない。
【００６２】
図１５は、表示内での属性入替後のサンプル表示を例示する図である。例えば、図１５に示すように、マークＭ３が第２画像群ＧＳＧ２を選択しつつ第１画像群ＧＳＧ１の位置へ回転操作されると、第１画像群ＧＳＧ１の属性と第２画像群ＧＳＧ２の属性とが入れ替わる。
【００６３】
図１６は、表示装置１０の描画モード実行時の動作の一例を示すフローチャートである。表示装置１０が描画モードの実行の指示を受けると、まず、制御部８０は、図１６に示すように、ステップＳ１１０において、描画モードを開始する。具体的には、ステップＳ１１０において、制御部８０は、ツールバーＧＴをメニューとして表示部２０に表示させ、検出部６０の検出結果に基づく画像ＧＤを表示可能な状態とする。
【００６４】
次に、ステップＳ１２０において、制御部８０は、メニューであるツールバーＧＴの表示を終了させる指示があるか否かを判断する。ステップＳ１２０においてメニューの表示を終了させる指示がない場合、制御部８０は、ステップＳ１３０において、前述のサンプル画像群ＧＳＧに関する機能であるサンプル機能が設定される状態であるか否かを判断する。ステップＳ１３０においてサンプル機能が設定される状態である場合、制御部８０は、ステップＳ１４０において、ツールバーＧＴに対して画像ＧＤの属性に関する操作があるか否かを判断する。
【００６５】
ステップＳ１４０において属性に関する操作がある場合、制御部８０は、前述のサンプル画像群ＧＳＧを表示部２０に表示させる。このとき、ツールバーＧＴに対する操作の種類に応じてサンプル画像群ＧＳＧに用いる属性の設定を決定する。例えば、ツールバーＧＴに対する操作が色に関する操作である場合、サンプル画像群ＧＳＧに用いる第１属性として色を設定する。この場合、サンプル画像群ＧＳＧに用いる第２属性は、色以外であればいかなる属性でもよいが、例えば、太さである。同様に、ツールバーＧＴに対する操作が線種に関する操作である場合、サンプル画像群ＧＳＧに用いる第１属性として線種を設定する。また、ツールバーＧＴに対する操作が図形に関する操作である場合、サンプル画像群ＧＳＧに用いる第１属性として図形を設定する。
【００６６】
その後、制御部８０は、ステップＳ１６０において、サンプル画像群ＧＳＧに対する操作による属性の選択があるか否かを判断する。ステップＳ１６０において属性の選択がない場合、前述のステップＳ１４０に戻る。一方、ステップＳ１６０において属性の選択がある場合、制御部８０は、ステップＳ１７０において、その選択に係る属性を画像ＧＤに用いる属性として決定する。このとき、制御部８０は、この決定結果を反映させて属性履歴情報Ｄを記憶部３０に記憶させる。
【００６７】
その後、制御部８０は、ステップＳ１８０に移行する。また、前述のステップＳ１２０においてメニューの表示を終了させる指示がある場合、前述のステップＳ１３０においてサンプル機能が設定される状態である場合、または、前述のステップＳ１４０において属性に関する操作がある場合も、制御部８０は、ステップＳ１８０に移行する。制御部８０は、ステップＳ１８０において、描画モードを終了させる指示があるか否かを判断し、当該指示がない場合、前述のステップＳ１２０に戻り、一方、当該指示がある場合、終了する。
【００６８】
図１７は、サンプル表示における画像群の追加および変更の一例を示すフローチャートである。まず、制御部８０は、図１７に示すように、ステップＳ２２０において、サンプル画像群ＧＳＧに画像群を追加する指示であるサンプル追加指示があるか否かを判断する。ステップＳ２２０においてサンプル追加指示がある場合、制御部８０は、ステップＳ２３０において、サンプル画像群ＧＳＧに画像群を追加可能な空き軸が存在するか否かを判断する。ステップＳ２３０において空き軸がある場合、制御部８０は、ステップＳ２４０において、サンプル画像群ＧＳＧにサンプルとなる画像群を追加する。
【００６９】
一方、ステップＳ２３０において空き軸がない場合、制御部８０は、ステップＳ２５０において、サンプル変更操作表示としてマークＭ１およびＭ２を表示させる。その後、制御部８０は、ステップＳ２６０において、マークＭ１またはＭ２に対する操作であるサンプル変更操作があるか否かを判断する。ステップＳ２６０においてサンプル変更操作がある場合、制御部８０は、ステップＳ２７０において、サンプル変更操作に応じて、サンプル画像群ＧＳＧを構成する画像群を他の画像群に変更する。
【００７０】
前述のステップＳ２７０の後、制御部８０は、ステップＳ２８０において、領域Ｒにあるサンプル画像の属性を取得する。また、前述のステップＳ２２０においてサンプル追加指示がない場合、または、前述のステップＳ２６０においてサンプル変更操作がない場合も、制御部８０は、ステップＳ２８０に移行し、領域Ｒにあるサンプル画像の属性の設定を取得する。
【００７１】
次に、制御部８０は、ステップＳ２９０において、ステップＳ２８０で取得済みの属性の設定に基づいて、当該設定を追加または変更に係る画像群の属性の設定に反映させてサンプル画像群ＧＳＧの属性の設定を更新する。以上のステップＳ２２０からＳ２９０は、ステップＳ２１０およびＳ３００により、サンプル画像群ＧＳＧが有する画像群の数が上限値となるまで繰り返される。
【００７２】
以上の表示システム１または表示装置１０は、前述のように、表示面であるスクリーンＳＣに画像Ｇを表示する表示部２０と、スクリーンＳＣ上の指示体９０の位置を検出する検出部６０と、検出部６０の検出位置に基づく画像ＧＤを表示部２０に表示させる制御部８０と、を有する。制御部８０は、複数のサンプル画像ＧＳ１を含む第１画像群ＧＳＧ１と複数のサンプル画像ＧＳ２を含む第２画像群ＧＳＧ２とを表示部２０に表示させる。そして、制御部８０は、第１画像群ＧＳＧ１または第２画像群ＧＳＧ２に含まれるサンプル画像ＧＳ１またはサンプル画像ＧＳ２の選択に応じて、検出部６０の検出位置に基づく画像ＧＤに用いる第１属性および第２属性の設定を決定する。
【００７３】
また、表示装置１０に用いる表示方法は、第１画像群ＧＳＧ１と第２画像群ＧＳＧ２とをスクリーンＳＣに表示することと、第１画像群ＧＳＧ１または第２画像群ＧＳＧ２に含まれる１のサンプル画像ＧＳ１またはＧＳ２を選択させることと、当該１のサンプル画像ＧＳ１またはＧＳ２の選択に応じて、第１属性および第２属性を決定することと、スクリーンＳＣ上の指示体９０の位置を検出することと、検出された位置に基づき、決定された第１属性および第２属性を有する画像ＧＤをスクリーンＳＣに表示することと、を含む。
【００７４】
ここで、第１画像群ＧＳＧ１は、第１方向の一例である方向αにスクロール可能である。複数のサンプル画像ＧＳ１は、第１属性の設定が互いに異なり、第１属性と異なる第２属性の設定が互いに同じである。第２画像群ＧＳＧ２は、方向αと異なる第２方向の一例である方向βにスクロール可能である。複数のサンプル画像ＧＳ２は、第１属性の設定が互いに同じであり、第２属性の設定が互いに異なる。
【００７５】
このような表示システム１、表示装置１０またはその表示方法によれば、検出部６０の検出位置に基づく画像ＧＤに用いる第１属性および第２属性の設定をサンプル画像ＧＳ１またはサンプル画像ＧＳ２に対する一度の操作で決定することができる。この結果、当該操作のための画像に割り当てられる属性の数が１つの画像につき１つである場合に比べて、当該操作の数が少なくて済むため、ユーザーの操作負担を低減することができる。ここで、サンプル画像ＧＳ１およびサンプル画像ＧＳ２をスクリーンＳＣに並べて表示することにより、画像ＧＤの属性の設定を実際に変更しなくても、第１属性および第２属性の設定の違いによる画像ＧＤの見易さ等をユーザーに同時に提示することができる。この提示を経て、画像ＧＤに用いる第１属性および第２属性の設定が決定されるため、画像ＧＤに関してユーザーの希望に沿う属性の設定が可能となる。
【００７６】
また、第１画像群ＧＳＧ１または第２画像群ＧＳＧ２をスクロールすることにより、これらの画像群の第１属性または第２属性を変更することができる。このため、第１画像群ＧＳＧ１および第２画像群ＧＳＧ２がスクロール可能でない場合に比べて、同時に表示されるサンプル画像ＧＳ１およびサンプル画像ＧＳ２の数を少なくしても、ユーザーに提示可能なサンプル画像ＧＳ１およびサンプル画像ＧＳ２の属性の種類の数を多くすることができる。また、第１画像群ＧＳＧ１または第２画像群ＧＳＧ２のスクロールの操作は、指示体９０によるタッチ操作またはジェスチャーによる操作等の操作により実行可能であり、ユーザーにとって感覚的に理解しやすく、操作性に優れる。
【００７７】
ここで、第１画像群ＧＳＧ１および第２画像群ＧＳＧ２は、互いに重なる領域Ｒに共通のサンプル画像ＧＳ１およびＧＳ２を含む。このため、第１画像群ＧＳＧ１または第２画像群ＧＳＧ２をスクロールすることにより、領域Ｒにおいてサンプル画像ＧＳ１およびサンプル画像ＧＳ２の第１属性または第２属性を変更することができる。
【００７８】
本実施形態では、第１方向は、第１直線の一例である直線Ｌ１に沿う方向である。第２方向は、直線Ｌ１に交差する第２直線の一例である直線Ｌ２に沿う方向である。第１方向および第２方向を直線Ｌ１およびＬ２に沿う方向とすることにより、第１画像群ＧＳＧ１および第２画像群ＧＳＧ２のそれぞれを直線的な操作でスクロールさせることができる。当該直線的な操作は、曲線的な操作に比べて、動きがシンプルであるため、操作性に優れる。なお、前述の直線Ｌ１、Ｌ２、Ｌ３およびＬ４のうちの任意の１つの直線を第１直線として捉えてもよい。この場合、前述の直線Ｌ１、Ｌ２、Ｌ３およびＬ４のうちの第１直線以外の任意の１つの直線を第２直線として捉えればよい。
【００７９】
また、制御部８０は、複数のサンプル画像ＧＳ３を含む第３画像群ＧＳＧ３を表示部２０に表示させ、サンプル画像ＧＳ１、ＧＳ２またはＧＳ３の選択に応じて、検出部６０の検出位置に基づく画像ＧＤに用いる第１属性、第２属性および第３属性の設定を決定する。ここで、第３画像群ＧＳＧ３は、第１方向および第２方向と異なる第３方向にスクロール可能である。複数のサンプル画像ＧＳ３は、第１属性および第２属性と異なる第３属性の設定が互いに異なり、第１属性および第２属性のそれぞれの設定が互いに同じである。以上の構成では、サンプル画像ＧＳ１、サンプル画像ＧＳ２およびサンプル画像ＧＳ３をスクリーンＳＣに表示することにより、画像ＧＤの属性の設定を実際に変更しなくても、第１属性、第２属性および第３属性の設定の違いによる画像ＧＤの見易さ等をユーザーに同時に提示することができる。このため、ユーザーが画像ＧＤに関して希望に沿う属性の判断がしやすくなる。
【００８０】
さらに、制御部８０は、第１画像群ＧＳＧ１と第２画像群ＧＳＧ２とが重なる領域Ｒの位置を変更可能である。このため、領域Ｒの位置が固定である場合に比べて、第１画像群ＧＳＧ１または第２画像群ＧＳＧ２に対する操作性を高めることができる。例えば、ユーザーの利き腕、身長、位置または向き等に応じて、ユーザーが操作しやすい位置に領域Ｒの左右方向または上下方向での位置を変更することができる。
【００８１】
また、制御部８０は、第１画像群ＧＳＧ１のスクロールに応じて第２画像群ＧＳＧ２の第１属性の設定を変更するか、または、第２画像群ＧＳＧ２のスクロールに応じて第１画像群ＧＳＧ１の第２属性の設定を変更する。以上の構成では、第１画像群ＧＳＧ１または第２画像群ＧＳＧ２のうちの一方の画像群をスクロールさせることにより、他方の画像群の属性の設定を変更することができる。
【００８２】
さらに、制御部８０は、第１属性および第２属性のうちの一方または両方の属性を変更可能である。このため、第１属性および第２属性の属性が固定である場合に比べて、ユーザーに多くの表示態様を提示できる。
【００８３】
サンプル画像ＧＳ１およびサンプル画像ＧＳ２に用いる第１属性または第２属性は、色、太さまたは線種、例えば、前述の属性ａ、ｂまたはｃであることが好ましい。色、太さまたは線種は、描画に適することから、画像ＧＤに用いる属性に好適である。また、色、太さまたは線種は、画像ＧＤの見易さ等に影響を与えやすい。このため、第１属性または第２属性が色、太さまたは線種である場合、画像ＧＤの見易さ等を調整しやすいという利点がある。
【００８４】
また、第１属性は、色であり、かつ、第２属性は、太さであることが好ましい。色および太さは、線種等の他の属性に比べて、画像ＧＤの見易さ等の異なる種類の数を多くしやすい。このため、第１属性が色であり、かつ、第２属性が太さである場合、他の属性を用いる場合に比べて、画像ＧＤの見易さ等の調整の幅を大きくすることができる。この結果、例えば、画像Ｇに重ねて画像ＧＤを表示する場合、画像Ｇの様々な態様に対して画像ＧＤの属性の適切な設定が可能となる。
【００８５】
また、第１属性は、形状であり、かつ、第２属性は、色、太さまたは線種であることが好ましい。この場合、ユーザーが描画する形状に応じた第１画像ＧＳ１および第２画像ＧＳ２を色、太さまたは線種の属性の設定を異ならせて表示可能である。
【００８６】
本実施形態では、制御部８０は、外部装置の一例であるＰＣ１００からの画像情報ＤＳに基づく画像Ｇに重ねて第１画像群ＧＳＧ１および第２画像群ＧＳＧ２を表示部２０に表示させる。画像ＧＤを画像Ｇに重ねて表示する場合、画像Ｇの態様によっては、画像ＧＤが見づらくなることがある。したがって、第１画像群ＧＳＧ１および第２画像群ＧＳＧ２を画像Ｇに重ねて表示することは、画像ＧＤを画像Ｇに重ねて表示する場合に有用である。
【００８７】
また、表示装置１０は、検出部６０の検出位置に基づく画像ＧＤの属性履歴に関する情報である属性履歴情報Ｄを記憶する記憶部３０を有する。制御部８０は、属性履歴情報Ｄに基づいて、第１画像群ＧＳＧ１または第２画像群ＧＳＧ２に用いる第１属性または第２属性の設定を決定する。このため、ユーザーが使用する可能性の高い属性の設定を用いて第１画像群ＧＳＧ１および第２画像群ＧＳＧ２を表示することができる。このため、属性履歴情報Ｄを用いずに第１画像群ＧＳＧ１および第２画像群ＧＳＧ２の属性を設定する場合に比べて、第１画像群ＧＳＧ１および第２画像群ＧＳＧ２に用いる属性の設定を変更するための他の操作を低減することができる。
【００８８】
３．変形例
以上、本発明の表示装置および表示システムについて図示の実施形態に基づいて説明したが、本発明は、これらに限定されない。また、本発明の各部の構成は、前述の実施形態の同様の機能を発揮する任意の構成に置換することができ、また、任意の構成を付加することもできる。また、本発明は、前述の各実施形態の任意の構成同士を組み合わせるようにしてもよい。
【００８９】
前述の実施形態では、第１画像群ＧＳＧ１および第２画像群ＧＳＧ２のスクロールの方向である第１方向および第２方向のそれぞれが直線に沿う方向である構成が例示されるが、第１方向および第２方向は、当該構成に限定されない。例えば、第１方向および第２方向のうちの少なくとも一方が直線に沿う方向でなくてもよく、第１方向および第２方向のうちの少なくとも一方が円周に沿う方向であってもよい。
【００９０】
図１８は、変形例に係る第１画像群ＧＳＧ１および第２画像群ＧＳＧ２を含むサンプル表示を例示する図である。図１８に示す第１画像群ＧＳＧ１は、円周Ｃ１に沿って配置される複数のサンプル画像ＧＳ１を含み、円周Ｃ１に沿う方向αｃにスクロール可能である。また、図１８に示す第２画像群ＧＳＧ２は、円周Ｃ２に沿って配置される複数のサンプル画像ＧＳ２を含み、円周Ｃ２に沿う方向βｃにスクロール可能である。ここで、円周Ｃ１は、第１円周の一例であり、方向αｃは、第１方向の一例である。また、円周Ｃ２は、第１円周に交差する第２円周の一例であり、方向βｃは、第２方向の一例である。以上の構成では、第１画像群ＧＳＧ１および第２画像群ＧＳＧ２のそれぞれを曲線的な操作でスクロールさせることができる。当該曲線的な操作は、シングルタッチ操作等の他の操作との識別がしやすく、誤操作が発生し難いという利点がある。なお、図１８に示す構成では、円周Ｃ１およびＣ２のそれぞれの全周が画像Ｇ内に包含されるが、これに限定されず、例えば、円周Ｃ１およびＣ２の一方または両方の一部、すなわち円弧が画像Ｇ内に包含される構成でもよい。
【００９１】
また、前述の実施形態では、ペンボタンＰＥＢまたは色選択ボタンＣＣＢに対する操作を契機としてサンプル画像群ＧＳＧを表示する構成が例示されるが、当該構成に限定されない。サンプル画像群ＧＳＧの表示は、例えば、ツールバーＧＴ内の他のボタンまたはツールバーＧＴ以外のボタンに対する操作を契機として行ってもよいし、描画モードの実行開始を契機として行ってもよい。
【００９２】
また、前述の実施形態では、表示装置１０がプロジェクターである場合が例示されるが、本発明の表示装置は、プロジェクターに限定されず、例えば、タッチパネル式の表示装置であってもよい。
【符号の説明】
【００９３】
１…表示システム、１０…表示装置、２０…表示部、３０…記憶部、６０…検出部、８０…制御部、９０…指示体、Ｃ１…円周、Ｃ２…円周、Ｄ…属性履歴情報、ＤＳ…画像情報、Ｇ…画像、ＧＤ…画像、ＧＳ１…サンプル画像、ＧＳ２…サンプル画像、ＧＳ３…サンプル画像、ＧＳ４…サンプル画像、ＧＳＧ１…第１画像群、ＧＳＧ２…第２画像群、ＧＳＧ３…第３画像群、ＧＳＧ４…第４画像群、ＧＴ…ツールバー、Ｒ…領域、ＳＣ…スクリーン、ａ…属性、ｂ…属性、ｃ…属性、ｄ…属性、α…方向、α１…方向、αｃ…方向、β…方向、β１…方向、βｃ…方向、γ…方向、δ…方向。
【図１】
2020067909.tif 000003
【図２】
2020067909.tif 000004
【図３】
2020067909.tif 000005
【図４】
2020067909.tif 000006
【図５】
2020067909.tif 000007
【図６】
2020067909.tif 000008
【図７】
2020067909.tif 000009
【図８】
2020067909.tif 000010
【図９】
2020067909.tif 000011
【図１０】
2020067909.tif 000012
【図１１】
2020067909.tif 000013
【図１２】
2020067909.tif 000014
【図１３】
2020067909.tif 000015
【図１４】
2020067909.tif 000016
【図１５】
2020067909.tif 000017
【図１６】
2020067909.tif 000018
【図１７】
2020067909.tif 000019
【図１８】
2020067909.tif 000020